(57)【要約】  弾性的に変形可能な部材（１４）で少なくとも部分的に取り囲まれる折り畳み式袋（１８）内に配置されるパーソナルケア組成物と、任意に外側容器本体（５００）と、を含むパーソナルケア製品。弾性部材（１４）は、弾性部材（１４）の少なくとも一部分を通して赤外線の透過を可能にする弾性的延伸性材料で構成される。弾性的に変形可能な部材を伸張することにより位置エネルギーが発生し、噴射剤又はポンプに代わって組成物の分配に用いられる。容器は、組成物を分配するための作動可能弁（１６）も備えてよい。
2013529157.tif 000002
【特許請求の範囲】
【請求項１】
追加的なアプリケータを使用せずに、パーソナルケア組成物を皮膚に被膜状で塗布するためのパーソナルケア製品であって、
ａ．外側容器と、
ｂ．前記外側容器内に配置される少なくとも部分的に拡張した折り畳み式袋と、弾性部材が軸方向及び半径方向に伸張されるように前記折り畳み式袋の少なくとも一部分を取り囲む弾性部材であって、前記弾性部材の少なくとも一部分を通して赤外線の透過を可能にする弾性的延伸性材料で構成されている、弾性部材と、
ｃ．前記折り畳み式袋内に配置されるパーソナルケア組成物と、を含む、パーソナルケア製品。
【請求項２】
前記組成物が、スキンケア組成物、抗真菌組成物、抗菌組成物、創傷治癒組成物、及び酵素阻害組成物のうち少なくとも１つを含む、請求項１に記載のパーソナルケア製品。
【請求項３】
前記パーソナルケア組成物が、スキンケア組成物と、酸化亜鉛、ワセリン、白色ワセリン、鉱油、タラ肝油、ラノリン、ジメチコン、ビタミンＡ、パルミチン酸、アラントイン、カラミン、カオリン、グリセリン、コロイド状オートミール、及びこれらの組み合わせからなる群から選択される少なくとも１つの有効成分と、を含む、請求項２に記載のパーソナルケア製品。
【請求項４】
前記パーソナルケア組成物が、抗真菌組成物と、ナタマイシン、リモシジン、ナイスタチン、アンホテリシンＢ、カンジシン、ハマイシン、イミダゾール、トリアゾール、チアゾール、アリルアミン、エキノカンジン、角質溶解剤と組み合わせた安息香酸、シクロピロックスオラミン、トルナフテート、ウンデシレン酸、フルシトシン、グリセオフルビン、ハロプロジン、及びこれらの有効的な組み合わせからなる群から選択される少なくとも１つの有効成分と、を含む、請求項２に記載のパーソナルケア製品。
【請求項５】
前記パーソナルケア組成物が、酵素阻害組成物と、ヘキサミジン；トリアセチン；金属塩形状の水溶性リパーゼ阻害剤；プロテアーゼ補助因子の利用可能性を限定するキレート化剤；脂肪族アルコールのエステル；飽和、不飽和、直鎖又は分枝鎖の２〜２２個の炭素原子の脂肪酸の亜鉛塩；アミノ化アシル化酸；及びこれらの有効的な組み合わせからなる群から選択される少なくとも１つの有効成分と、を含む、請求項２に記載のパーソナルケア製品。
【請求項６】
前記折り畳み式袋が、１００マイクロメートル未満の壁厚を有する少なくとも１つの区分を含む、請求項１に記載のパーソナルケア製品。
【請求項７】
前記折り畳み式袋が、開口端及び前記開口端に対向する閉鎖端を有し、前記弾性的延伸性バンドが、前記袋の開口端に近接する第１の端部、及び前記袋の閉鎖端に近接して前記袋に接合される第２の端部を含む、請求項１に記載のパーソナルケア製品。
【請求項８】
追加的なアプリケータを使用せずに、組成物を表面に被膜状で塗布するための物品であって、
ａ．外側容器と、
ｂ．前記外側容器内に配置される少なくとも部分的に拡張した折り畳み式袋と、弾性部材が軸方向及び半径方向に伸張されるように前記折り畳み式袋の少なくとも一部分を取り囲む弾性部材であって、前記弾性部材の少なくとも一部分を通して赤外線の透過を可能にする弾性的延伸性材料で構成されている、弾性部材と、
ｃ．前記折り畳み式袋内に配置される流動性組成物と、を含む、物品。
【請求項９】
前記折り畳み式袋が袋の開口端と袋の閉鎖端とを含み、前記物品が前記袋の開口端内に配置される弁部材を更に含み、前記弁部材が前記折り畳み式袋から流出する前記流動性組成物の流路を提供する、請求項８に記載の物品。
【請求項１０】
前記弁部材が、剛性挿入部と、前記弁部材を通過する開閉可能な流路を提供するよう操作可能に構成される可撓性本体部材と、を備える、請求項９に記載の物品。
【発明の詳細な説明】
【技術分野】
【０００１】
パーソナルケア製品が開示される。特に、非ポンプ、非エアゾール、スリーブ内管式ディスペンサーに収容されるパーソナルケア組成物は、分配されると、追加的なアプリケータを使わずに、又はユーザーによる表面上での更なる塗り広げを必要とせずに、表面上に好適な被膜を形成する。
【背景技術】
【０００２】
大半の人々において、乾燥皮膚に伴う不快な皮膚症状（例えば、発赤、掻痒、灼熱感、皮膚剥脱、ひび割れ、鱗屑、皮膚剥離）は、様々な程度で何度も起こる。これらの不快な皮膚症状は、特に冬にはっきりと現れることがある。不快な乾燥皮膚に対応するため、少なくとも１つの有効成分を処方したスキンケア製品が広く知られている。例えば、ワセリン又はシリコーンオイルなどの密封剤は、表皮と周囲環境との間にバリアを形成することにより、天然水分の損失を防ぐことが広く知られている。別の方法は、皮膚剥奪率を上げるため、α−ヒドロキシ酸などの角質溶解剤を使用することである。３つ目の方法は、グリセリンなどの保湿剤を局所投与し、皮膚中の水分保持を促進することである。
【０００３】
不快な皮膚症状は、ヒトの皮膚を侵すことが周知の特定の真菌類（例えば、カンジダ・アルビカンス）に起因する場合もある。真菌感染症は、日和見菌である皮膚糸状菌、又は皮膚上に生まれつき存在し得る酵母によって引き起こされることがある。一般的に知られている真菌感染症の種類として、足白癬、毛髪、皮膚、指の爪、及び足の爪の酵母感染、鼠蹊部感染症、白癬、並びにおむつかぶれが挙げられる。特に、おむつかぶれに伴う真菌感染症は、抗生物質を処方されている幼児、つまり幼い子どもに多く起こり得る。抗生物質は、酵母と典型的にヒト腸内に存在する「善玉」菌とのバランスを、善玉菌を死滅されることにより崩す場合がある。このアンバランスにより、腸内の酵母濃度が上昇し、その結果、糞便中でより多くの酵母が体から排泄されることになり得る。体から排泄される酵母の量が多くなると、子どもの肛門、会陰部、及び／又は生殖器周辺の皮膚を攻撃し、皮膚刺激の原因となる場合がある。
【０００４】
更に別の不快な皮膚症状は、皮膚が特定の酵素に曝露されることに起因し得る。例えば、腸及び／又は膵臓由来の糞便中タンパク質分解酵素及び脂肪分解酵素は、おむつかぶれに直接的に関与する場合があり、皮膚刺激及び炎症につながることがあると考えられる。プロテアーゼ及びリパーゼは、消化過程においてタンパク質及び脂質を分解するのに役立つ、体内で産生される酵素群である。ヒト皮膚と接触すると、これらの酵素は皮膚刺激を起こす可能性がある。典型的には、プロテアーゼ及びリパーゼは、体外に排出される前に中和される。しかし、病気又は感染によりこれらの酵素を中和する体の能力が低下する場合がある。その結果、これら酵素は、糞便中で体外に排出されるとき、かなりの程度の酵素活性を維持できる。加えて、尿が存在する場合、及び／又は皮膚が塞がれている場合、糞便中酵素活性の、皮膚に対する刺激作用は増強される場合があり、それはおむつを付けている人に起こり得る。水、特に尿の形態の水分は、皮膚のバリア特性を弱めるのにとりわけ有効であり、これにより糞便中酵素刺激に対する皮膚の感受性を高める。糞便のアルカリ性ｐＨは、糞便の酵素活性を増強する更なる要因である。例えば、母乳を飲んでいる乳児の糞便は通常酸性であるが、人工乳及び離乳食の乳児の糞便は一般的に、微アルカリ性（ｐＨ  ７．２〜７．５）から非常にアルカリ性（ｐＨ  ８．７以上）のｐＨ範囲のアルカリ性であることは周知である。したがって、糞便中酵素の活性がｐＨにより増強されるため、人工乳及び離乳食の乳児は特に、おむつかぶれを発症する傾向があり得る。
【０００５】
乳児にとって、おむつかぶれの発現は珍しくない。おむつかぶれの原因及び／又はそれに伴う症状に対処するため、世話人は乳児の皮膚のおむつかぶれの患部に市販の発疹用クリームを塗布する場合がある。市販のおむつかぶれクリームは、おむつかぶれの症状及び／又は原因の対処に有効である場合もあるが、このようなクリームが典型的に、濃い及び／又はべとつく軟膏を、乳児の皮膚上へ擦り込む及び／又は塗り広げることを要するため、少なくとも一部の世話人は塗布には不便であると感じる場合がある。擦り込み動作及び／又は塗り広げ動作は、皮膚への更なる摩擦刺激の原因となることがあり、望まれない、例えば人の手及び／又は指への軟膏の付着は、人の手の洗浄という不便で追加的な工程につながり得る。したがって、少なくとも一部の世話人は、パーソナルケア組成物を皮膚へ塗布するためのより便利な手段を望んでいる。
【０００６】
スキンケア組成物を、保存する、分配する、及び皮膚又はその他表面（例えば、ヒト皮膚、動物皮膚、基材表面）に塗布するための様々な容器及びデリバリーシステムが開発されている。周知の分配システムの１つは、単純な「絞り出し」容器である。つまり、絞ることでユーザーが圧力をかけ、それにより容器の内容積を減少させて、容器の内容物を開口部から押し出させることができる、可撓性材料で作られた容器である。しかし、少なくとも一部の周知の絞り出し容器は、制御が難しい方法で内容物を排出する。例えば、一部の周知のローション用ディスペンサーは、最初のうちはローションを「１滴」ずつ分配できるが、最終的に分配をやめ、更に悪いことにはローションを、いわゆる「撒き散らし」又は「跳ね飛ばし」始め、衣類又は他の表面を汚す結果となり得る。絞り出し容器からのスキンケア組成物の分配方法が不正確であるため（すなわち、加える圧力が大きすぎる、又は小さすぎる）、ユーザーは所望量のローションを分配できない場合がある。加えて、ユーザーがスキンケア組成物を体の所望する領域全体に手又は指で塗り広げる必要がある場合、手／指への不要な汚染、及び／又は皮膚の炎症を起こした敏感な領域に不快感を起こす結果となる。
【０００７】
エアゾールデリバリーシステムは、典型的に組成物を「噴霧」し、皮膚上に組成物を塗り広げる（例えば、手又は指で）必要性を低減し得るため、スキンケア組成物などの様々な消費財の送達に広く使用されている。エアゾールシステムは、典型的には揮発性噴射剤を使用し、容器から製品を押し出す。エアゾール技術は、有効かつ比較的安価であるため支持されてきた。しかし、従来使われてきたフッ化炭素及び炭化水素系の噴射剤の、大気への放出は、これら化合物が周囲環境に与え得る実際の及び認知されている悪影響のため、望ましくない。別の不利点は、エアゾール容器が、製造中に、追加の安全装置及び処置を必要とし得る圧力容器とみなされることである。貯蔵、使用、又は処分中に問題が起こる場合、加圧容器は人への危害の懸念をも生じさせ得る。そして、多くのエアゾール製品に伴う高い内部圧力は、容器の材料及び形状の選択肢を限定する場合がある。更に別の不利点は、通常使用により容器中の製品量が少なくなると、容器内圧が典型的に下がることである。少なくとも一部の場合では、容器に保存された製品を排出するのに十分な圧力がなくなったとき、容器内にある程度の量の製品がまだ残っている場合がある。そしてエアゾール容器を廃棄するとき、残った製品が無駄になり、望ましくない環境汚染につながる可能性さえあり得る。エアゾールディスペンサーの更なる別の不利点は、ユーザーの皮膚への組成物の塗布に用いる際、好ましくない低温で組成物が排出される傾向があり、ユーザーの皮膚に不快感を生む場合があることである。
【０００８】
ポンプシステムは、エアゾール及び絞り出し容器の代替手段の１つである。ポンプシステムは一般に、ポンプを作動させることにより一定量の製品を分配する。しかし、消費者によっては、必ずしも全てが特定の用途に同じ量の製品を所望しない可能性があり、そのため全てのユーザーを満足させる適当量の提供が困難である。例えば、第１の消費者は、所望量の製品を分配するために、ディスペンサーを２回ポンプ運動させる必要がある場合があり、一方別の消費者は、同じディスペンサーを１回だけポンプ運動させる場合がある。そして製品の所望量がポンプ運動の中間である場合、消費者は、ポンプ式ディスペンサーの使用に不満を覚える恐れがある。加えて、ポンプシステムを目的通りに機能させるためには、概して正確に配置しなくてはならない。例えば、一部の周知のポンプシステムは、ポンプを逆さまに配置すると、又は更には横向きに配置すると、正確に機能しない。また一部のポンプシステムは、容器中の製品量が使い果たされると、望ましくなく分配、断続的に分配、又は全く分配しない場合がある。更に、一部のポンプシステムは、容器の内容物を排出するという点においてエアゾール容器より優れている場合があるが、ポンプシステムも依然として実質的に全ての内容物を排出することができない。最後に、特にスキンケア組成物が粒子状成分を含有する場合、長時間使わないと一部のノズルが詰まる傾向がある。
【発明の概要】
【発明が解決しようとする課題】
【０００９】
したがって、非ポンプ、非エアゾールディスペンサー内にスキンケア組成物を提供することが望まれる。また、実質的に全てのスキンケア組成物を分配可能なディスペンサー内にスキンケア組成物を提供することが望まれる。更に、ディスペンサー内で起こる目詰まりの問題の可能性を少なくとも低減する、スキンケア組成物を提供することが望まれる。
【課題を解決するための手段】
【００１０】
上記問題に対する解決策を提供するため、追加的なアプリケータを使用せずに、パーソナルケア組成物を皮膚に被膜状で塗布するための新規パーソナルケア製品が開示される。パーソナルケア製品は、外側容器と、外側容器内に配置される少なくとも部分的に拡張した折り畳み式袋と、を含む。折り畳み式袋は、弾性部材が軸方向及び半径方向に伸張されるように、折り畳み式袋の少なくとも一部分を取り囲む弾性部材を備える。弾性部材は、弾性部材の少なくとも一部分を通して赤外線の透過を可能にする弾性的延伸性材料で構成される。パーソナルケア製品はまた、折り畳み式袋内に配置されるパーソナルケア組成物を含む。
【図面の簡単な説明】
【００１１】
【図１Ａ】スキンケア製品の実施形態の断面図。
【図１Ｂ】スキンケア製品の実施形態の断面図。
【図１Ｃ】スキンケア製品の実施形態の断面図。
【図２】容器プリフォームの開口部内に挿入される弁部材の部分断面図。
【図３】例示的な容器プリフォームの側面図。
【図４】図３に示される例示的な容器プリフォームの断面図。
【図５】例示的なポリマープリフォームの斜視図。
【図６】図５に示される例示的なポリマープリフォームの側面図。
【図７】容器プリフォームの例示的な実施形態の断面図。
【図８】スキンケア製品の側面図。
【図９】図８のスキンケア製品の断面図。
【図１０Ａ】２種類の例示的な管の側面図。
【図１０Ｂ】２種類の例示的な管の側面図。
【図１１】容器の斜視図。
【図１２】容器プリフォームから折り畳み式袋への変換後に起こり得る例示的な寸法変化を示す。
【図１３】容器プリフォームから折り畳み式袋への変換後に起こり得る例示的な寸法変化を示す。
【発明を実施するための形態】
【００１２】
本発明のパーソナルケア製品は、弾性的延伸性があるスリーブ内管式のディスペンサーを利用して、パーソナルケア組成物を皮膚に塗布するのに使いやすく環境に優しい方法を提供する。本明細書に開示されるスリーブ内管式ディスペンサーは、内部に保存される実質的に全ての皮膚組成物（例えば、９０％超、９２％超、９３％超、９４％超、９５％超、又は理想的には１００％）を分配可能であり、好ましくない化学的噴射剤を必要としない。更には、本発明のスリーブ内管式ディスペンサーは、保存されるパーソナルケア組成物を、様々な容器の向き（例えば、逆さま、正しい向き、又は横向き）で望ましく分配することが可能である。本発明のパーソナルケア製品は、エアゾールディスペンサーの様に高度に加圧する必要がないため、周囲環境の温度と実質的に変わらない温度でパーソナルケア組成物を分配できる。驚くべきことに、本発明のパーソナルケア製品は、周知のエアゾール及びポンプ式ディスペンサーよりも製造費が実質的に安いという予期しない効果をもたらすこともわかっている。
【００１３】
本明細書で説明する特定の性質は、１つ以上の値域を包含し得る。これらの値は、範囲内の個々の値が特に開示されていない場合でも、範囲内の全ての値を包含することは理解されるべきである。
【００１４】
「軸方向」は、一般に物品の長手方向に相当する方向を意味する。
【００１５】
「折り畳み式」及びその変形は、物品又は構成要素（例えば、折り畳み式袋又はその他可撓性容器）の体積を、物品又は構成要素の性能を実質的に悪化させる、あるいは物品の継続使用を害するように周囲の構成要素を損傷することなく、１００ｋＰａ〜６００ｋＰａ（例えば、２００〜４００ｋＰａ、２６０〜３４０ｋＰａ、又は更には３００ｋＰａ）の外部からかけられた圧力により、拡張状態の体積に対して少なくとも５０％、ただし１００％未満（例えば、６０％、７０％、８０％、９０％、９５％、９８％、又は更には９９％）に減少できることを意味する。
【００１６】
「障害皮膚」は、皮膚病、例えば本明細書に開示される１つ以上の皮膚病を患っている皮膚を意味する。
【００１７】
「弾性」及び「弾性的延伸性」は、所与の負荷において、破裂又は破損がない状態で少なくとも５０％伸張し、負荷が取り除かれると、弾性材料又は構成要素が少なくとも８０％の回復を示す（すなわち、２０％未満のセットを有する）材料の性能を意味する。例えば、初期長が１００ｍｍの弾性材料は少なくとも１５０ｍｍ（５０％伸張）まで延伸でき、荷重が取り除かれると長さ１１０ｍｍ（すなわち、１０ｍｍ、つまり１０％のセット）に戻ることができる。回復を伴う伸張（ひずみ、ひずみパーセント、又は伸長と称されることもある）及びセットは、それぞれ当該技術分野において既知の好適なヒステリシス試験によって決定され得る。しかし、この弾性の定義が、好適なヒステリシス試験の適切な対象となるために適切な寸法（例えば、十分な幅）を有さない材料には適用されないことは理解されるべきである。代わりに、そのような材料は、付勢力の付加に際して少なくとも５０％に伸張し、付勢力の解放の際にその元の長さに実質的に戻る（すなわち、２０％未満のセットを呈する）ことができる場合に、弾性であるとみなされる。
【００１８】
「拡張性」及びその変形は、物品又は構成要素（例えば、ポリマープリフォーム又は折り畳み式袋）の体積が、要素の破裂又は破損がない状態で、弛緩又は折り畳まれた状態の体積の少なくとも５０％、最大１０００倍（例えば、１００％、４００％、８００％、１２００％、２０００％、６０００％以上）増加できることを意味する。例えば、プリフォームの初期体積が１０ｍＬの場合、拡張されると（例えば、気体及び／又はパーソナルケア組成物の充填により）、その体積が１リットルに増加する。
【００１９】
「延伸性」は、破裂又は破損がない状態で、少なくとも５０％伸張又は伸長する能力を意味する。
【００２０】
「被膜」は、４５ｃｍの距離で人間の目で見た際に、実質的に連続的（すなわち、実質的に多孔性でない）に見える層又はコーティングを意味する。例示的な被膜は、１００ｎｍ〜５００μｍの厚さを有してよい。更に、例示的な被膜は、実質的に均一な厚さ（すなわち、３０％未満の変化）を有してよい。
【００２１】
「赤外線」又は「赤外光」（「ＩＲ」）は、７００ナノメートル（「ｎｍ」）〜１ミリメートル（「ｍｍ」）の波長を有する電磁放射線を意味する。
【００２２】
「接合された」は、要素を他の要素に直接固着することにより、要素を別の要素に直接固定する構成、及び要素を中間部材に固着し、これが次に他の要素に固着されることにより、要素が別の要素に間接的に固定される構成を意味する。
【００２３】
「プラスチック性」及び「可塑的延伸性」は、所与の負荷において、破裂又は破損がない状態で少なくとも５０％伸張し、負荷が取り除かれると、その材料又は構成要素が少なくとも２０％のセットを示す（すなわち、８０％未満回復する）材料の性能を意味する。例えば、当該技術分野において既知の好適なヒステリシス試験を行ったとき、初期長が１００ｍｍの延伸性材料は、少なくとも１５０ｍｍまで伸張することができ（５０％伸張）、付加された力が解放されると長さ３５ｍｍ（すなわち、３５ｍｍのセット（３５％セット））に戻ることができる。
【００２４】
「動作的に使い尽された」は、容器中に含まれる組成物を使い切り、容器が既に目的通りに組成物を分配できないようになることを意味する。例として、まずパーソナルケア組成物で最大容量まで容器を満たし（すなわち、１００％充填）、次に、初期量の５％未満（ただし０％超）が残るまで組成物を分配し、その時点で容器がそれ以上の組成物の分配を停止する。この例では、まだ容器内に残っている若干量の残留組成物があっても、この容器は動作的に使い尽されている。組成物が目的通りに分配されない場合（例えば、出口圧が低すぎる、スパッタリング、液だれなど）、容器が動作的に使い尽されても、依然として組成物が分配される可能性があると認識される。理想的には、本明細書に開示されるパーソナルケア製品は、動作的に使い尽される前に、内部に保存された実質的に全ての組成物を分配する。
【００２５】
「プリフォーム」は、予備成形を受けているがまだ最終形状ではない材料、要素、構成要素、又は物品を意味する。
【００２６】
「半径方向」は、軸方向に対して垂直の方向を意味し、一般に物品の横方向に相当する。
【００２７】
「弛緩された」は、要素に作用する外力が重力以外に実質的にない、静止時の要素、材料又は構成要素の状態を意味する。
【００２８】
パーソナルケア組成物
本明細書で用いるパーソナルケア組成物は特に限定されず、例えば、スキンケア組成物、抗真菌組成物、及び酵素阻害組成物が挙げられる。好適なパーソナルケア組成物は、例えば、ローション、クリーム、ペースト、バルム、軟膏、ポマード、ジェル、液体、これら及びその他同種のものの組み合わせの形状であってよく、消費者にとっての効果を更に向上させるために固体を含有してもよい。本明細書に開示されるパーソナルケア組成物は、少なくとも１つの有効成分を含む。有効成分は通常、意図した薬理効果をもたらす成分として認識される。本明細書に開示されるパーソナルケア組成物では、有効成分がもたらす薬理効果は、おむつかぶれ、湿疹、新生児頭部皮膚炎、真菌感染症、じんましん、頭部発疹、及び／又は好ましくない酵素活性に関する皮膚疾患の治療及び／又は予防に役立つ。例えば、有効成分は、おむつかぶれに伴う症状を和らげ、皮膚からの水分損失を減少させるのに役立ち、皮膚に潤いを与え、真菌感染を排除し、かつ／又は酵素活性を中和することができる。有効成分は、パーソナルケア組成物の重量に基づいて０．００１〜１００重量％（「ｗｔ％」）の量で存在してよい。有効成分の量はこの範囲内の任意のパーセンテージを含み得ると認識される。
【００２９】
一部のスキンケア組成物は、水分不足（すなわち「乾燥皮膚」）に関連する皮膚損傷に対処するため、ヒト皮膚に塗布される。スキンケア組成物は、皮膚の見た目（例えば、剥離した、ひび割れた、及び／又は赤い皮膚の外観を低減する）及び／又は皮膚の感触（例えば、肌荒れ及び／又は肌の乾燥を低減すると同時に皮膚の柔軟性及びきめ細やかさを改善する）に対処することもできる。スキンケア組成物として、典型的には、おむつかぶれなどの皮膚疾患の処置若しくは予防、又は皮膚に保湿効果を提供するための少なくとも１つの有効成分、例えば酸化亜鉛、ワセリン、白色ワセリン、鉱油、タラ肝油、ラノリン、ジメチコン、ハードファット、ビタミンＡ、アラントイン、カラミン、カオリン、グリセリン、及びコロイド状オートミール、並びにこれらの組み合わせが挙げられる。追加的に、又は別の方法として、スキンケア組成物は１つ以上の天然保湿成分（「ＮＭＦ」）を含んでよい。ＮＭＦは、ヒト皮膚の角質層に見出される特定の水溶性化合物の集まりである。ＮＭＦは、典型的には角質細胞の乾燥重量の２０〜３０％を占める。ＮＭＦは、典型的には大気から水を吸収し、自身が含有する水分と結合させて、様々な要素に曝露されても角質層の最も外側の層の水和状態を維持させる。しかし、少なくとも一部のＮＭＦ成分は水溶性であるため、水との接触により細胞から容易に浸出され得、これは水と繰り返し接触することで皮膚をより乾燥させ得る理由の１つである。ヒト皮膚は、典型的には角質細胞を取り囲む脂質層を含み、ＮＭＦの損失を防ぐのに役立っているが、スキンケア組成物中にＮＭＦを提供し、損失したＮＭＦの少なくとも一部を置換することが望ましい場合がある。ＮＭＦは、０〜１０ｗｔ％の量で本発明のスキンケア組成物中に任意に含まれてもよい。ＮＭＦ、及び皮膚からのＮＭＦの損失予防を促進するのに用いられる成分の好適例として、セラミド、ヒアルロン酸、グリセリン、スクアラン、アミノ酸、コレステロール、脂肪酸、トリグリセリド、リン脂質、スフィンゴ糖脂質、尿素、リノール酸、グリコサミノグリカン、ムコ多糖、乳酸ナトリウム、及びＰＣＡナトリウム（ピロリドンカルボン酸ナトリウム）が挙げられる。ヒト皮膚の脂質内容物を再現し、それにより乾燥皮膚の見た目及び感触を良好にするのに役立ち得るその他成分を本発明のスキンケア組成物に含んでよく、これらには、グリセリド、アプリコット核油、キャノーラ油、スクアラン、スクアレン、ココナツ油、コーン油、ホホバ油、ホホバワックス、レシチン、オリーブ油、ベニバナ油、ゴマ油、シアバター、大豆油、スイートアーモンド油、ヒマワリ油、ティーツリー油、シアバター、パーム油、コレステロール、コレステロールエステル、ワックスエステル、脂肪酸、及びオレンジ油が挙げられるが、これらに限定されない。
【００３０】
抗真菌組成物は、真菌の成長を阻害若しくは抑制する、及び／又は真菌細胞を殺す又は破壊する物質として一般に認識されている。本明細書に用いるのに好適な抗真菌組成物は特に制限されないが、一般には、ヒトの皮膚に抗真菌効果をもたらす少なくとも１つの抗真菌剤が挙げられる。抗真菌剤は、０．０１〜１００ｗｔ％の量で存在してよい。抗真菌剤の量はこの範囲内の任意のパーセンテージを含み得ると認識される。抗真菌剤の例として、ポリエン系抗真菌剤（例えば、ナタマイシン、リモシジン、ナイスタチン、アンホテリシンＢ、カンジシン、ハマイシン）、アゾール系抗真菌剤（例えば、イミダゾール、トリアゾール、及びチアゾール）、アリルアミン、エキノカンジン、及びこれらの有効的な組み合わせが挙げられるが、これらに限定されない。上記に加え、抗真菌剤として有用であり得るその他組成物として、角質溶解剤と組み合わせた安息香酸、シクロピロックスオラミン、トルナフテート、ウンデシレン酸、フルシトシン、グリセオフルビン、ハロプロジン、及びこれらの有効的な組み合わせが挙げられる。
【００３１】
酵素阻害組成物は、皮膚刺激及び／又はおむつかぶれにつながる糞便中酵素の生物活性を阻害又は抑制する物質である。理論によって制限されることなく、腸及び／又は膵臓由来の糞便中タンパク質分解酵素及び脂肪分解酵素は、おむつかぶれ、及び関連する不快な皮膚疾患に直接的に関与すると考えられる。本明細書に用いるのに好適な酵素阻害組成物は特に制限されないが、一般には、典型的にヒト糞便中に見出される少なくとも１つの酵素の酵素活性を中和する少なくとも１つの酵素阻害剤が挙げられる。酵素阻害剤は、０．０１〜１００ｗｔ％の量で存在してよい。酵素阻害剤の量は、この範囲内の任意のパーセンテージを含み得ると認識される。酵素阻害剤の例として、ヘキサミジン；トリアセチン；フィチン酸；塩化亜鉛など金属塩形状の水溶性リパーゼ阻害剤；プロテアーゼ補助因子の利用可能性を限定するエチレンジアミン四酢酸などのキレート化剤；脂肪族アルコールのエステル；飽和、不飽和、直鎖又は分枝鎖の１２〜２４個の炭素原子の脂肪酸の亜鉛塩；プロピオニルシステイン、プロピオニルヒドロキシプロリン、又はカプロイルシステインなどのアミノ化アシル化酸；及びこれらの有効的な組み合わせが挙げられるが、これらに限定されない。
【００３２】
火傷又は切り傷などの創傷治療に好適な有効成分を任意に含むことも所望され得る。例えば、塩化ベンザルコニウム、塩化ベンゼトニウム、塩化メチルベンゼトニウム、フェノール、ポビドンヨード複合体、クロルヘキシジン（chlorhexidene）及び誘導体（例えば、グルコン酸クロルヘキシジン）、臭化セトリモニウム、塩化セトリモニウム、ステアリン酸セトリモニウム、塩化セチルピリジニウム、オクテニジンジヒドロクロリド、チモール、トリクロサン、並びにテルペン類（例えば、ティーツリー油）などの抗菌剤を、パーソナルケア組成物に含めてよい。更に他の任意の有効成分として、パンテノール、パントテン酸、パントテン酸カルシウム（calcium panththenate）、ブドウ種子抽出物、マヌカ蜂蜜、及びウルモ蜂蜜などの創傷治癒剤が挙げられる。更なる任意成分として、しびれ剤と称されることもある局所麻酔剤が挙げられる。しびれ剤の例として、リドカイン、ベンゾカイン、ノボカイン、塩化プロカイン、エチドカイン、プリロカイン、及びロピバカインが挙げられる。
【００３３】
本明細書に開示されるパーソナルケア組成物は、組成物を所望のｐＨに維持するために１つ以上のｐＨ緩衝剤を含んでよい。典型的には、ヒト皮膚は４〜６のｐＨを有し、皮膚表面に存在し得る細菌及びその他望まれない病原菌に有害な酸性環境をもたらす。理論によって制限されることなく、皮膚ｐＨを従来の酸性状態に効率良く維持することで、アンモニアの刺激作用を弱めることができ、糞便中酵素の活性を低減する可能性があるとも考えられる。皮膚が良好な弾性を有し、感染に対する好適なバリアとして作用するために、皮膚のｐＨを従来のｐＨ又はｐＨ範囲に保つことが重要である。したがって、パーソナルケア組成物中にｐＨ緩衝剤を含め、好適なｐＨ又はｐＨ範囲、例えば、４〜７、又は更に５．５をもたらすことが望ましい場合がある。ｐＨ緩衝剤は、０．１〜１０ｗｔ％の量で存在してよい。本明細書に用いるのに好適なｐＨ緩衝剤の例として、クエン酸、ホウ酸、乳酸、グリコール酸、グルコン酸、リンゴ酸、マレイン酸、その他フルーツ酸、フタル酸水素カリウム、これらそれぞれの対応する共役塩基との組み合わせ、及びこれらの混合物が挙げられるが、これらに限定されない。
【００３４】
特定の実施形態では、パーソナルケア組成物中に保湿剤を含めることが重要な場合がある。保湿剤は、空気中からでも容易に水を吸収する（すなわち、吸湿性である）ことで知られる物質である。保湿剤の例として、グリセリン、ポリグリセロール、プロピレングリコール、エチレングリコール、グリセリルトリアセテート、ポリエチレングリコール、ポリプロピレングリコール、並びにソルビトール、グルコース、フルクトース、及び１，５−ペンチレンジオールなどのポリオールが挙げられる。本発明のパーソナルケア組成物が容器から分配されるとき、容器／ディスペンサーの種類によっては、スキンケア組成物の残存量が容器の分配開口部の周囲に留まる場合がある。この残存組成物の液体構成成分（ある場合）が乾燥すると、微粒子のみ（例えば、酸化亜鉛粒子）が残る。これらの微粒子は、分配開口部の一部又は全てを詰まらせる又は塞ぎ得るため、組成物の更なる分配を好ましくなく干渉し得る。スキンケア組成物に保湿剤を含めることで、ディスペンサーの分配開口部周囲に存在するいかなる残存スキンケア組成物を、最大３、７、１０、１４、又は更には２１日間以上十分に湿った状態にでき、これにより分配開口部の目詰まり、つまり好ましくない閉塞を低減する可能性がある。
【００３５】
パーソナルケア組成物は１つ以上の抗付着成分を含み、特定の汚染物質（例えば、汚れ；細菌；尿、糞便、粘液、及び血液などの排泄物；歯垢；グリース；食物残渣；その他同種のもの）が皮膚に付着する傾向を低減できる。抗付着成分は、０．１〜１００ｗｔ％の量で存在してよい。本明細書に用いるのに好適な抗付着成分の例として、ポリエチレングリコール（「ＰＥＧ」）（ＰＥＧ−４００、ＰＥＧ−４０００など）、トリオール（グリセリンなど）、エトキシル化脂肪族アルコール（ステアレス−５０及びセテス−１５０など）、エトキシル化脂肪酸（ステアリン酸ポリオキシエチレン（１００）など）、プロピレングリコール、ポリプロピレングリコール、糖類（グルコース及びソルビトールなど）、糖系界面活性剤（ソルビタンエステル及びエトキシル化ソルビタンエステル、スクロースエステル及びエトキシル化スクロースエステル、並びにアルキルポリグリコシドなど）、ジオール（ヘキシレンジオールなど）、及びＰＥＧ８リン酸エステルが挙げられるが、これらに限定されない。
【００３６】
パーソナルケア組成物は、アロマセラピー成分（例えばカモミール）、抗酸化剤（例えばトコフェロール）、消費者が認識している皮膚有益成分（例えばアロエ）、防腐剤（例えばフェノキシエタノール）、及び安定剤（stablizer）（例えばキサンタンガム）などの１つ以上のその他任意成分を含んでよい。任意成分のその他の例として、ラベンダー、オートミール抽出物、ビタミンＥアセテート、緑茶抽出物、乳タンパク質、及びキンセンカ（calundula）が挙げられるが、これらに限定されない。
【００３７】
パーソナルケア組成物は、キャリア材料を含んでよい。キャリア材料は、パーソナルケア組成物の他の成分が内部に分散され、他のパーソナルケア組成物成分の比較的一様な分布をユーザーの皮膚上にもたらすのに役立つマトリックスを提供する。キャリア材料は、１〜９９ｗｔ％の量で存在してよい。親水性キャリア材料の好適例として、水、エチルアルコールなどの低分子アルコール、ポリエチレングリコール、プロピレングリコール、グリセリン、及びその他低分子量ジオール、トリオール、並びに室温で液体のポリオールが挙げられる。場合によっては、キャリアは、鉱油などの有機若しくはシリコーン系キャリア、イソドデカン若しくはイソヘキサデカン若しくはイソエイコサン又はこれらの混合物などのイソパラフィン流体、シクロペンタシロキサン、０．００００１ｍ２／ｓ（１０センチストークス）のジメチコン流体などの低分子量シリコーン流体、又はミリスチン酸イソプロピル（isopropyl myritate）などのエステルであってもよい。
【００３８】
皮膚又はその他基材上に好適な被膜層を形成し、適用後に更なる操作（例えば、手又は指で塗り広げる）を必要としないパーソナルケア組成物を提供するために、スキンケア組成物が、適切なバランスの粘度、表面張力、及び液滴直径を有することが重要である。これらの特性は、組成物の成分、及び容器の構造特性により影響され得る。例えば、パーソナルケア組成物は、個々の組成物成分の分離を防ぐのに十分に高いものの、組成物の容易な分配を可能にするのに十分に低い粘度を有する必要がある。更に、組成物が容器から出るときに、ノズル形状及び／又は寸法が組成物の粘度に影響を及ぼし得る（例えば、非ニュートン流体は、ずり増粘又はずり減粘という周知の現象を経験し得る）。したがって、好適な粘度は、３０ＲＰＭで回転するＲＶ＃３スピンドルを用いて、ＤＶ−ＩＩＩ＋レオメーター（Ｂｒｏｏｋｆｉｅｌｄ  Ｉｎｃ．から入手可能）により２２Ｃで測定するとき、５０〜５０００センチポアズ（「ｃＰ」）、２００〜２５００ｃＰ、又は更には５００〜１５００ｃＰの範囲である。同様に、パーソナルケア組成物の表面張力が、容器から目的通りに分配されると液滴を形成し、一旦皮膚に塗布されると組成物の「垂れ」を防ぐのに十分高いが、十分に小さい液滴をもたらすほど十分低いことが重要である。液滴が大きすぎる場合、塗布した組成物が、皮膚上で好適な被膜ではなく、むしろの多数の個々の液滴のように見え得る。加えて、大きな液滴直径は不安定な組成物の指標となり得る（例えば、分離しやすい）。被膜とは対照的な多数の液滴に気付くユーザー、つまり世話人は、液滴を更に塗り広げようとし、手、指、及び／又は組成物の塗り広げに使用した他の表面又は基材の好ましくない汚染の原因となり得る。本明細書に開示される分配された組成物の好適な液滴直径は、１００ｎｍ〜１００μｍであってよい。皮膚などの表面での有効な濡れ、塗り広げ、及び／又は接着のために、塗布する組成物の表面張力は、塗布される表面の表面張力より低くあるべきである。実際の湿度及び温度条件にもよるが、ヒト皮膚の表面張力は典型的に３８ｍＮ／ｍ〜５６ｍＮ／ｍである。したがって、皮膚に塗布するのに好適な（すなわち、皮膚での好適な濡れ、塗り広げ、及び／又は接着を示す）組成物の表面張力は、この範囲内の表面張力を下回るであろう。しかし、組成物の表面張力は、塗布される表面上（例えば、皮膚及び／又はおむつ表面上）への組成物の過度の塗り広げを助長するほど低くあってはならない。例えば、皮膚に塗布されるパーソナルケア組成物の好適な表面張力は、５６ｍＮ／ｍ未満であって皮膚への濡れ及び接着を促進してよいが、３０ｍＮ／ｍ超であって皮膚上への組成物の過度の塗り広げを防いでよい（例えば、３５〜４０ｍＮ／ｍ）。
【００３９】
容器
特定の皮膚疾患を治療する及び／又は予防を試みる、並びに任意の組成物を表面に塗布するとき、組成物を被膜として塗布し、組成物により提供される利益の可能性を十分に得ることが重要な場合がある。上述にように、組成物を塗り広げ、又は擦り込んで好適な被膜を形成させると、不快な汚染の原因となる、又は追加のアプリケータの使用を要する場合がある。したがって、ユーザー側の追加的操作を必要とせずに、組成物が塗布される表面上に被膜が形成されるように組成物を分配可能な容器が、当該技術分野における長年にわたるニーズに対処する。
【００４０】
図１Ａは、容器プリフォーム１０の例示的な実施形態を示す。容器プリフォーム１０は、例えば、吹込み成形又は射出成形プロセスで用いられる種類の成形型などの、成形型３０の上部に挿入されているものとして示される。容器プリフォーム１０は、ポリマープリフォーム１２と、弾性的に変形可能なバンド１４とを含んでよく、このバンドは、ポリマープリフォーム１２の一部又は更には全部を少なくとも部分的に取り囲む。弾性バンド１４は、ポリマープリフォーム及び／又は弾性バンド１４の拡張能及び／又は折り畳み能を好ましくなく干渉しない限りは、当該技術分野において既知の任意の手段でポリマープリフォーム１２に接合されてよい。ポリマープリフォーム１２は、弾性的又は可塑的に延伸性であってよく、例えば、本明細書に開示される１つ以上のパーソナルケア組成物などの流動性組成物を収容するように構成される。特定の実施形態では、ポリマープリフォーム１２を拡張して折り畳み式袋を形成してよい（例えば、ポリマープリフォーム１２を気体及び／又はパーソナルケア組成物で充填、又は部分的に充填することによる）。伸張された弾性バンド１４及び／又は折り畳み式袋内に十分な位置エネルギーが蓄えられ、折り畳み式袋内に保存された少なくとも一部、又は実質的に全ての皮膚組成物を意図したように放出するように、ポリマープリフォーム１２及び／又はバンド１４を拡張してよい。例えば、弾性バンド１４内に蓄えられた位置エネルギーは、３０ＲＰＭで回転するＲＶ＃３スピンドルを用いて、ＤＶ−ＩＩＩ＋レオメーター（Ｂｒｏｏｋｆｉｅｌｄ  Ｉｎｃ．から入手可能）により２２Ｃで測定する際に組成物が５０〜５０００ｃＰの粘度を有するとき、拡張ポリマープリフォーム内に保存された液体組成物を３０センチメートル（「ｃｍ」）〜１２５ｃｍ、例えば、４０〜１００ｃｍ、５０〜８０ｃｍ、又は更には６０〜７０ｃｍの距離を放出するのに十分であってよい。
【００４１】
ポリマープリフォーム１２を可撓性、延伸性、かつ任意に弾性の材料で作製してよい。ポリマープリフォーム１２の形成に好適な材料例として、ナイロン、ポリプロピレン、ポリエチレン、低密度ポリエチレン、ポリブチレン、ポリエステル（例えば、ポリエチレンテレフタレート）、高密度ポリエチレン（ＨＤＰＥ）、ポリアミド系材料、アクリロニトリル材料、及びこれらの組み合わせが挙げられるが、これらに限定されない。特に好適な例は、ＤＯＷ  Ｃｈｅｍｉｃａｌ  Ｃｏｍｐａｎｙ（Ｍｉｄｌａｎｄ  Ｍｉｃｈｉｇａｎ）から入手可能なＳＡＲＡＮＥＸブランドのプラスチック樹脂、及びＢＰ  Ｃｈｅｍｉｃａｌｓ  Ｃｏｒｐｏｒａｔｉｏｎ（Ｏｈｉｏ）から入手可能なＢＡＲＥＸ  ２１８ブランドの熱可塑性アクリル樹脂である。例えば、共押出し吹込み成形プロセス中に、ポリマープリフォーム１２を２つ以上の材料から形成してよい。特定の実施形態では、ポリマープリフォーム１２の形成に用いる材料は、折り畳み式袋の内容物に付与される好ましくない味又はにおいが実質的にないように、比較的不活性である。更に、不活性ポリマープリフォーム１２は、特定の成分がスキンケア組成物から折り畳み式袋へ、及びその逆へ、望まれなく移行することを抑制する、又は更には予防してよい。例えば、あるスキンケア組成物は、防腐剤を用いて皮膚組成物の有効期間を延長する。これらの防腐剤がスキンケア組成物から折り畳み式袋の材料内に移行した場合、ユーザーに対して期待される効果を発揮しない、又は好ましくない特性（例えば、悪臭又は外観変化）を呈するなど、スキンケア組成物が望まれない影響を受ける（例えば、不快臭になる）恐れがある。ポリマープリフォーム１２は、首部領域１３に若干の剛性を提供することが望ましい場合がある以外は、半径方向及び軸方向寸法のどちらにも実質的に表面全体が可撓性であってよい。特定の実施形態では、自立するように長さ全体が十分に剛性であるポリマープリフォーム１２の提供が望ましい場合さえもある。ポリマープリフォーム１２の壁部は、所望される任意の好適な厚さであってよい。例えば、ポリマープリフォーム１２は、任意に首部領域１３以外の実質的にその長さ全体において、伸張される前は１．５ｍｍ〜９．５ｍｍ、又は更に３．２ｍｍの平均壁厚、完全に拡張されると２５．４マイクロメートル（「μｍ」）〜５０．８μｍ（例えば、３０．５μｍ〜４６μｍ）の平均側壁厚を有してよい。ポリマープリフォーム１２の、首部領域１３を形成する部分は、ポリマープリフォーム１２が拡張されるときに弁部材１６から２．５ｃｍ以内にあってよく、より厚くてよい。本明細書においてポリマープリフォームの任意の所与の横断面におけるわずかな厚さの変化が想到され、本開示の範囲及び趣旨に含まれることを理解されたい。
【００４２】
容器プリフォーム１０の製造時、伸張及び／又はスキンケア組成物の収容に先立ち、ポリマープリフォーム１２を加熱することが望ましい場合がある。理論によって制限されることなく、ポリマープリフォーム１２及び／又は弾性バンド１４を加熱すると、軟化する、及び／又はプリフォーム１２及び／又はバンド１４の柔軟性が増すと考えられる。特定の実施形態では、ポリマープリフォーム１２の全体又は少なくとも一部分を、ポリマープリフォーム１２のガラス転移温度（「Ｔｇ」）を０．５〜１５℃、又は５〜１０℃超える範囲の温度まで加熱してよい。別の実施形態では、弾性バンド１４も同じ温度まで加熱してよい。弾性バンド１４を通してＩＲ又は他の電磁放射線をポリマープリフォーム１２まで伝達することにより、加熱を実施してよい。ポリマープリフォーム１２の内部に圧力が加えられ、ポリマープリフォーム１２を折り畳み式袋に可塑的又は弾性的に拡張し、弾性バンド１４を弾性的に拡張する。この圧力は、加圧ガス（例えば、空気又は窒素）、駆動ロッド若しくはその他物理的部材、スキンケア組成物の挿入、又はこれらの組み合わせにより提供されてよい。一実施形態では、加えられた圧力は１５０ｋＰａ〜１０００ｋＰａ、又は更には５８４ｋＰａである。理論に制限されるものではないが、５８４ｋＰａ±２００ｋＰａ、±１８０ｋＰａ、又は更には±１６０ｋＰａ以内の加えられた圧力は、ポリマープリフォーム１２又は弾性バンド１４に望まれない損傷を与えることなく、ポリマープリフォーム１２を素早くかつ均一に拡張（expending）するのに特に好適であり得ると考えられる。拡張されたときのポリマープリフォーム１２の容積は特に制限されず、例えば、１００ｍＬ〜１リットル（例えば、２００ｍＬ、５００ｍＬ、７５０ｍＬ）であってよい。弾性バンドは、初期未伸張時の長さ及び／又は幅の少なくとも５０％、最大７５０％超、軸方向及び／又は半径方向に伸張可能である。例として、図１２及び１３は、伸張した状態（すなわち図１３）に対して、緩んだ状態（すなわち図１２）の弾性バンド６１４とポリマープリフォーム６１２／折り畳み式袋６１０との寸法の違いを示している。同様に、弾性バンド６１４は使用中、製品が動作的に使い尽されると、最初の使用時の初期分配から最終的に分配を完了するまで、軸方向及び／又は半径方向に５０〜９５％収縮又は縮小できる。弾性バンド６１４の有意な軸方向の拡張及び縮小の可能性のため、ポリマープリフォーム６１２の長さは、緩んだ／未伸張状態の弾性バンド６１４の長さよりも顕著に長くなり得る。例えば、ポリマープリフォーム６１２は、結合してかつ緩んでいる弾性バンド６１４の長さの少なくとも約１００％、１５０％、２００％、又は３００％であってよい。好適な弾性バンド６１４の軸方向拡張をもたらす例示的な方法は、２００９年１０月２３日にＣｈａｎらにより出願された、同時係属の米国特許出願第１２／６０４，９６５号に開示されている。
【００４３】
弾性バンド１４の拡張により生じた位置エネルギーは、吹込み成形プロセスによる内圧が取り除かれると、通常は折り畳み式袋１８を折り畳むのに十分なものである。ポリマープリフォーム１２を折り畳み式袋１８に拡張し、続いて折り畳んだ後に、流動性パーソナルケア組成物を充填できる。この充填プロセスの間、折り畳まれた袋は半径方向及び軸方向の両方向に拡張し、これにより弾性バンド１４を拡張させ、弾性バンド１４の拡張による位置エネルギーが再び生じる。常時閉弁部材１６を充填済みの袋と接合し、スキンケア組成物が流れる開閉可能な経路を提供できるが、弾性バンド１４内に蓄えられた位置エネルギーが充填済み折り畳み式袋１８に好ましくなく作用し、折り畳み式袋１８からスキンケア組成物を飛び出させるのを防ぐことができる。
【００４４】
弾性的に変形可能なバンド１４を弾性的延伸性材料（例えば、天然ゴム、合成ゴム、及び／又は熱可塑性エラストマー）から形成してよい。好適な天然ゴムとして、少なくとも２４．１メガパスカル（「ＭＰａ」）の引張り強度を有するものが挙げられる。更に、天然ゴムは、３０〜４０の硬度（ショアＡ）、及び最大８６２キロパスカル（「ｋＰａ」）の１００％弾性率を有してよい。本明細書に開示されるものなどのゴム材料の特性を測定する好適な方法は、「Ｓｔａｎｄａｒｄ  Ｔｅｓｔ  Ｍｅｔｈｏｄｓ  ｆｏｒ  Ｖｕｌｃａｎｉｚｅｄ  Ｒｕｂｂｅｒ  ａｎｄ  Ｔｈｅｒｍｏｐｌａｓｔｉｃ  Ｅｌａｓｔｏｍｅｒｓ」という表題のＡＳＴＭ  Ｎｏ．Ｄ４１２−０６ａε２に開示されている。弾性的に変形可能なバンド１４を、例えば、ゴム科植物（例えば、Ｇｕａｙｕｌｅ  ｓｈｒｕｂ又はＨｅｖｅａ  ｔｒｅｅ）で作られる天然ゴム、又はラテックス添加剤で修飾された天然ゴムから形成してよい。弾性バンド１４を一体型スリーブ（例えば、図１Ａ〜１Ｃに示すように）として形成してよく、又はポリマープリフォーム１２に接合された弾性材料の１つ以上の別個のバンドとして形成してよい。弾性バンド１４は、折り畳み式袋１８の様々な部分に均一な又は不均一な圧力をもたらすように構成してよい。例えば、様々な厚さのいくつかの別個の弾性バンドを折り畳み式袋１８の様々な位置に配置してよい。バンドが厚くなると、薄いバンドと比べて、接合された折り畳み式袋１８の部分に提供される圧力がより高くなってよい。弾性バンドにより発生する圧力は、とりわけその厚さ、バンドを形成する材料の弾性率、又はこれらの組み合わせに依存し得る。
【００４５】
弾性的に変形可能なバンド１４は、特定の波長、つまり電磁放射線の波長の透過を過度に遮る、又は干渉し得るカーボンブラック、又は任意のその他成分を含まない、又は実質的に含まなくてよい。例えば、弾性バンド１４の全体又は少なくても一部分をＩＲ放射線が通過できるように、弾性バンド１４を構成することが望ましい場合がある。ＩＲ透過性により、弾性部材１４及びポリマープリフォーム１２の同時加熱を可能にする独特の利益がもたらされ、既知の容器及びかかる容器の製造法に比べて製造の複雑度及び／又はコストを低減できる。特定の実施形態では、電磁放射線の異なる波長、強度、及び／又は組み合わせ（例えば、ＵＶ、可視光線、マイクロ波、高周波、及び／又はＸ線照射）を透過するように弾性バンド１４を構成してよい。
【００４６】
図１Ｂは、部分的に拡張した容器プリフォーム１０の例示的な実施形態を示す。ポリマープリフォーム１２及び弾性バンド１４が、軸方向及び半径方向の両方向に拡張しているのが示される。特定の実施形態では、ポリマープリフォーム１２は可塑的に拡張し、弾性バンド１４は弾性的に拡張又は伸張する。弾性バンドの伸張の結果生じた位置エネルギーは、折り畳み式袋１８及び／又はその内容物に１０００ｋＰａ以下、例えば、３４０ｋＰａ、３１０ｋＰａ未満、又は更には２４０ｋＰａ未満であるが、１００ｋＰａ超の静水圧を生じるのに十分であってよい。弾性バンドにより生じる圧力は、とりわけ弾性バンドの厚さ、弾性バンドを形成する材料の弾性率、又はこれらの組み合わせに依存し得る。つまり、弾性バンドが厚いほど、伸張される際に生じ得る位置エネルギーが高い。本明細書で用いるのに好適な実質的に均一な弾性バンド１４は、弛緩の際、１〜１０ｍｍの平均壁厚を有してよい。伸張されて目的通りに拡張された折り畳み式袋１８（例えば、図１Ｃに示されるような）になると、同じ弾性バンド１４は、１００μｍ〜４００μｍ、又は１８０μｍ〜２４０μｍ、又は更には２００μｍ〜２２０μｍの平均壁厚を有してよい。
【００４７】
図１Ｃは、完全に拡張されたポリマープリフォーム１２の例を示す。ポリマープリフォーム１２及び弾性バンド１４は、成形型３０の壁に対して全ての方向に延び、折り畳み式袋１８及び／又は容器を画成する。内圧が折り畳み式袋１８から開放される場合、弾性バンド１４に付随する位置エネルギーが折り畳み式袋１８に作用し、軸方向及び半径方向の両方向にそれを少なくとも部分的に折り畳む。
【００４８】
先行技術の容器は、様々な異なる弁アセンブリを利用し、容器内に保存される流動性内容物を分配するための開閉可能な流路をもたらし得る。これらの弁のいくつかは、製造プロセスに更なる困難とコスト高をもたらし得る複雑な構成の部品（例えば、フェルール、コイルバネ、弁座部材、止め輪）を利用する。対照的に、本明細書に開示される容器は、比較的単純な弁部材１６を備えてよい。図２は、本明細書で用いるのに好適な例示的な弁部材１６を示す。弁部材１６は、剛性挿入部１９と協働する弾性的に変形可能な本体４０を備えてよい。弾性的に変形可能な本体４０は、当該技術分野において既知の任意の好適なエラストマー材で作製されてよい。特定の実施形態では、ポリマープリフォーム１４の内壁又は首部領域１３を用いて、挿入部１９を機能的に置き替えてもよい。挿入部１９（あるいはポリマープリフォーム１２の首部領域１３）を、弁１６を常時閉じた位置に密閉するためのスリーブとして機能するよう構成してよい。弁本体４０は、開口端４２と、対向する閉鎖端４３と、開口端４２に近接して配置されるフランジ４４とを備えてよい。特定の実施形態では、止り穴４５（すなわち、弁部材１６を完全に通過しない穴）が開口端４２から延び、止り穴底面４６で終端する。図２に示すように、止り穴４５は弁本体側壁４７の内側表面を画成する。貫通孔４８は、側壁４７の内側表面から外側表面まで延び（すなわち、側壁４７を完全に通過する）てよく、開口端４２と止り穴４５の底面４６との間に位置する。特定の実施形態では、弁１６は、止り穴４５を含まず、流路をもたらすよう配置される２つ以上の貫通孔４７を含んでよい。本体４０及び／又は貫通孔４８を配置し、挿入部１９の壁と共に封止部を形成してよい。挿入部１９を、例えば、プラスチック、金属、硬質エラストマー、ガラス、及び厚紙又は他のセルロース系材料などの硬質材料で作製し、所望の密封面を提供してよい。例えば、弁本体４０が伸長し、その直径が減少するように十分量の軸方向応力を加え、弁本体４０を弾性的に変形させることにより、弁部材１６をユーザーが作動できる。その後、本体４０が伸長して直径が減少するにつれて、流体流路が、本体４０の外面と挿入部１９との間に形成され得る。一旦流体流路ができると、貫通孔４８、止り穴４５、及び開口端４２を通る、折り畳み式袋の内部から外部環境への流体の経路ができる。本明細書に用いるのに好適な弁部材の他の例は、２００９年１０月２３日にＣｈａｎらにより出願された、同時係属の米国特許出願第１２／６０４，９３１号に開示されている。
【００４９】
図３は、容器プリフォーム１００の別の例示的な実施形態を示す。容器プリフォーム１００は、ポリマープリフォーム１１２と、弾性的に変形可能なバンド１１４と、弁部材１１６と、弁部材１１６とポリマープリフォーム１１２の首部領域１１３との間に配置された任意のアダプタ／挿入部１１９と、を備える。図４は、図３の容器プリフォーム１０の軸方向断面図を示す。
【００５０】
図５及び６は、ポリマープリフォーム２１２の例示的な実施形態を示す。ポリマープリフォーム２１２は、開口端２２０（実際の開口部は図示せず）及び対向する閉鎖端２２２を備える。ポリマープリフォーム２１２は、開口端２２０に近接するフランジ２２４を備え、ポリマープリフォーム２１２の吹込み成形型の特定位置への保持に役立てることができる。フランジ２２４は、拡張されたポリマープリフォーム２１２を、外側容器、及び／又は、弁若しくはアクチュエータアセンブリの一部に接合するのに用いることもできる。追加のフランジ２２５及び２２６、並びに溝２２７及び２２８を備え、弾性バンド２１４を所望の様々な形状に配置し、保持するのに役立ててよい。例えば、弾性バンド２１４を、開口端２２０及び／又は閉鎖端２２２に近接する１つ以上の点でポリマープリフォーム２１２に接合してよい。特定の実施形態では、接着剤を溝２２７及び／又は２２８に置き、弾性バンド２１４をポリマープリフォーム２１２に固着してよい。溝２２７及び２２８は、接着剤を収容するよう構成してよいが、当然のことながら、任意の溝２２７及び２２８などのいかなる特定の収容特徴部がないときは、ポリマープリフォーム２１２の外面上に接着剤を置くこともできる。本明細書で用いるのに好適な接着剤の非限定例として、弾性的に変形可能な材料をプラスチック材料に好適に接着可能なエポキシ、ウレタン、アクリル酸、及び／又はその他接着剤が挙げられる。接着剤は、空気硬化型、光硬化型、及び／又は化学的架橋による硬化型であってよい。本明細書で用いるのに特に好適な接着剤の例は、ＬＯＣＴＩＴＥ  ４３０６及び４３０７ブランドの光硬化型接着剤、並びにＬＯＣＴＩＴＥ  ４０６、４５０１、及び４９５ブランドの接着剤であり、全てＨｅｎｋｅｌ（Ｇｅｒｍａｎｙ）から入手できる。特定の実施形態では、弾性バンド２１４による制約なくポリマープリフォーム２１２の壁が吹込み成形型の境界までできるだけ効果的かつ効率的に拡張できるように、弾性バンド２１４は、ポリマープリフォーム２１２の端部２２０及び２２２から離れて配置される点（すなわち、開口端２２０及び閉鎖端２２２から非常に離れた点）においてポリマープリフォーム２１２に固着されない。機械的手段を用いて、弾性バンド２１４をポリマープリフォーム２１２に接合してもよい。あるいは又は追加的に、バンドの遠位部をポリマープリフォーム２１２に固着する必要がないように、弾性バンド２１４を構成してよい。
【００５１】
図７は、弾性バンド３１４が、ポリマープリフォーム３１２の閉鎖端３２２を覆って閉じた遠位端３１５を有する例示的な実施形態を示す。ポリマープリフォーム３１２が、例えば吹込み成形中に軸方向に拡張すると、それに応じて弾性バンド３１４が軸方向に伸張できる。弾性バンド３１４の内壁部分を互いに接着剤で接着することにより、閉じた遠位端３１５を形成してよい。あるいは又は追加的に、拘束部材（例えば、クランプ）を遠位端３１５の外面周囲に配置し、閉じた状態にしてよい。遠位端３１５は完全に閉じて示されているが、ポリマープリフォーム３１２、及びポリマープリフォーム３１２から吹込み成形され得る任意の折り畳み式袋が、弾性バンド３１４の遠位端３１５を通って突き出ないように、部分的に閉じているか、又は対向側よりも小さい開口部を有するように製造してもよい。
【００５２】
例示的なパーソナルケア製品４００を図８に示す。図９は、図８のパーソナルケア製品４００の軸方向断面図を示す。パーソナルケア製品４００は、成形容器４１２と、外側キャップ４１４とを含む。図８に示す外側キャップ４１４は透明であるが、外側キャップ４１４が半透明、又は更には不透明でもよいことが理解される。材料分配システム４１６は容器４１２内に配置され、ポリマープリフォーム、例えば本明細書に開示されるポリマープリフォームの１つから形成される折り畳み式袋４１８を含む。折り畳み式袋４１８は流動性パーソナルケア組成物４１９で充填される。アクチュエータ４２２は容器４１２上に配置され、少なくとも部分的に管４２６によって画成された流路を備える。管４２６を弾性的に変形可能な弁部材４２８に接続してよい。管４２６の下向きへの移動により、パーソナルケア組成物４１９の一部が貫通孔４２９内を通過できるように弁部材４２８を配置するが、パーソナルケア組成物４１９が管４２６の長さ全体を流れ、パッケージ４１０から出ていけるように、管４２６上の第２の貫通孔及び／又は開口スロット（例えば、図１０Ａは管４２６上に第２の貫通孔６６を示し、図１０Ｂは管４２６上に開口スロット４６６を示す）を一直線に揃えてよい。特定の実施形態では、ある位置で第１の貫通孔６６が第２の貫通孔４２９と一直線になり、別の位置でそうでないように、管４２６は弁部材４２８内で回転可能であってよい。アクチュエータが不注意にぶつけられた又は押された場合に、組成物４１９の放出を防ぐ又は限定するように、この特徴部は所望のロック態様を提供してよい。
【００５３】
特定の実施形態では、特定のパターン（例えば、円錐形、平面、単一流、複数流、又は不定形）、液滴直径、特定の圧力、及び／又は範囲（すなわち、分配された組成物が移動できる有効距離）で、パーソナルケア組成物が分配されるのが望ましい場合がある。例えば、容器は、ノズルが皮膚から１５．２４ｃｍ〜３０．４８ｃｍ離れた距離に保持されるとき、２．５４ｃｍ２〜１５．２４ｃｍ２、５．０８ｃｍ２〜１０．１６ｃｍ２、又は更には７ｃｍ２〜９ｃｍ２の有効適用範囲を有する円錐形パターンで、パーソナルケア組成物を分配するよう構成された開口部を有するノズルを備えてよい。特定の実施形態では、パーソナルケア（person care）組成物は、１ｃｍ２〜２２５ｃｍ２の有効適用範囲を有するスプレーパターンで分配されてよい。更に、特定の実施形態では、パーソナルケア組成物を含有する特定の粒子中の粒子が開口部で固まって、ディスペンサーを詰まらせないように、ディスペンサーの開口部の大きさを決めることが重要な場合がある。本明細書に開示されるパーソナルケア製品を目的通りに用いると、ユーザー又は受益者が組成物を更に操作する必要なく（例えば、組成物を更に塗り広げる又は擦り込む必要がない）、パーソナルケア組成物の実質的に均一な被膜をユーザーが受益者の皮膚に塗布できるようになる。好適な粘度及び表面張力を有するようにパーソナルケア組成物を構成することに加え、組成物を表面に好適な被膜状で塗布するよう構成された開口部を有するノズルを提供することが重要である。例えば、ノズル開口部は、特定の圧力低下（すなわち、容器中組成物にかけられる圧力と表面への塗布時の圧力との差）及び／又は剪断速度をもたらすよう構成されてよい。開口部を選択的に構成することにより、例えば剪断速度を制御し、組成物へのずり増粘又はずり減粘といった好ましくない影響を最小限にできる。
【００５４】
図１１は、本明細書で用いるのに好適な外側容器５００の例示的な実施形態を示す。外側容器５００は、ポリマープリフォーム、折り畳み式袋、及び／又は弁部材の挿入のため、容器の上部に開口部５９０を備えてよい。外側容器５００は、当該技術分野において既知の任意の好適な材料で作られてよい。特定の実施形態では、外側容器５００はポリマープリフォームと同じ材料で形成されてよい。パーソナルケア製品の製造方法の例は、Ｐ＆Ｇ整理番号１１６９４で識別され、Ｋｌｏｆｔａらにより２０１０年４月２６日に出願された表題「ＭＥＴＨＯＤ  ＦＯＲ  ＭＡＫＩＮＧ  Ａ  ＰＥＲＳＯＮＡＬ  ＣＡＲＥ  ＰＲＯＤＵＣＴ」の同時係属米国特許出願に開示されている。
【実施例】
【００５５】
パーソナルケア組成物の実施例を以下に示す。当該技術分野において既知の標準的な調製法に従って組成物を調製する。これらの例示的組成物を上記のスリーブ内管式容器と共に用いてよい。実施例１として示す組成物は、３０ＲＰＭで回転するＲＶ＃３スピンドルを用い、ＤＶ−ＩＩＩ＋レオメーター（Ｂｒｏｏｋｆｉｅｌｄ  Ｉｎｃ．）により２２Ｃで測定する際に１０５０ｃＰの粘度を有する。
【００５６】
（実施例１）
【表１】
2013529157.tif 000003
【００５７】
（実施例２）
【表２】
2013529157.tif 000004
【００５８】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【００５９】
本発明の「発明を実施するための形態」で引用したすべての文献は、関連部分において本明細書に参照として援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００６０】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の「特許請求の範囲」で扱うものとする。
【図１Ａ】
2013529157.tif 000005
【図１Ｂ】
2013529157.tif 000006
【図１Ｃ】
2013529157.tif 000007
【図２】
2013529157.tif 000008
【図３】
2013529157.tif 000009
【図４】
2013529157.tif 000010
【図５】
2013529157.tif 000011
【図６】
2013529157.tif 000012
【図７】
2013529157.tif 000013
【図８】
2013529157.tif 000014
【図９】
2013529157.tif 000015
【図１０Ａ】
2013529157.tif 000016
【図１０Ｂ】
2013529157.tif 000017
【図１１】
2013529157.tif 000018
【図１２】
2013529157.tif 000019
【図１３】
2013529157.tif 000020
【国際調査報告】
2013529157.tif 000021
2013529157.tif 000022
2013529157.tif 000023
2013529157.tif 000024